(57)【要約】【課題】長尺な導光部材を収容部材に収容する構成であっても、振動に起因するガタツキ音を抑制することのできる乗物用灯具を提供する。【解決手段】長尺な導光部材１２と、導光部材１２の入射端面３１に対向して設けられる光源１３と、導光部材１２および光源１３を収容すべく導光部材１２の長尺方向Ｄｌに沿って長尺な収容部材１１と、を備える乗物用灯具１０である。導光部材１２には、長尺方向Ｄｌで見た全長に渡り、長尺方向Ｄｌに直交する直交方向（Ｄｗ）へと対を為して突出する位置決め突起３５を設け、収容部材１１には、導光部材１２を収容した状態において一対の位置決め突起３５を載せる支持突起２７を、直交方向で対を為して長尺方向Ｄｌで見た全長に渡り設けている。【選択図】図４
2016143590.tif 000002
【特許請求の範囲】
【請求項１】
長尺な導光部材と、
前記導光部材の入射端面に対向して設けられる光源と、
前記導光部材および前記光源を収容すべく前記導光部材の長尺方向に沿って長尺な収容部材と、を備え、
前記導光部材には、前記長尺方向で見た全長に渡り、前記長尺方向に直交する直交方向へと対を為して突出する位置決め突起を設け、
前記収容部材には、前記導光部材を収容した状態において一対の前記位置決め突起を載せる支持突起を、前記直交方向で対を為して前記長尺方向で見た全長に渡り設けていることを特徴とする乗物用灯具。
【請求項２】
前記導光部材の前記各位置決め突起は、前記長尺方向で見て全長に渡り連続して設けていることを特徴とする請求項１に記載の乗物用灯具。
【請求項３】
前記収容部材の前記各支持突起は、前記長尺方向で見て全長に渡り連続して設けていることを特徴とする請求項１または請求項２に記載の乗物用灯具。
【請求項４】
前記導光部材は、前記長尺方向に直交する断面で見て、一対の前記位置決め突起間を結ぶ直線の中点で直交する線に関して線対称とされていることを特徴とする請求項１から請求項３のいずれか１項に記載の乗物用灯具。
【請求項５】
前記導光部材は、導光本体部と、その外側に設けられ光を拡散する拡散層および光を反射する反射層の少なくとも一方と、を有し、
前記各位置決め突起は、前記拡散層または前記反射層を部分的に膨らませて形成することを特徴とする請求項１から請求項４のいずれか１項に記載の乗物用灯具。
【請求項６】
前記導光部材は、導光本体部と、その外側に設けられ光を拡散する拡散層と、その外側に設けられ光を反射する反射層と、を有し、
前記各位置決め突起は、前記反射層を部分的に膨らませて形成することを特徴とする請求項１から請求項４のいずれか１項に記載の乗物用灯具。
【請求項７】
前記導光部材は、前記長尺方向と直交する方向に位置して光を出射させる光出射面を有し、
前記各位置決め突起は、前記導光部材において前記光出射面の近傍で、前記光出射面を挟みつつ前記直交方向で対を為して設けられることを特徴とする請求項１から請求項６のいずれか１項に記載の乗物用灯具。
【請求項８】
前記導光部材の前記各位置決め突起は、前記長尺方向に直交する断面で見て曲面状に突出して形成されていることを特徴とする請求項１から請求項７のいずれか１項に記載の乗物用灯具。
【請求項９】
前記収容部材の前記各支持突起は、前記長尺方向に直交する断面で見て曲面状に突出して形成されていることを特徴とする請求項１から請求項８のいずれか１項に記載の乗物用灯具。
【発明の詳細な説明】
【技術分野】
【０００１】
本発明は、長尺な導光部材を用いる乗物用灯具に関する。
【背景技術】
【０００２】
灯具では、長尺な導光部材を用いて、線状に均一に光らせるものが考えられている（例えば、特許文献１参照）。このような灯具では、例えば、長尺な導光部材と、そこへ向けて光を出射する光源と、を筐体等の収容部材に収容する構成として、車両等の乗物に用いる乗物用灯具とすることができる。この乗物用灯具では、乗物の内部や外部に設けることで、当該乗物の内部や外部を装飾したり、乗物の内部や外部において手元や足元を照明したりすることができる。
【先行技術文献】
【特許文献】
【０００３】
【特許文献１】特開２０１３−５７９２４号公報
【発明の概要】
【発明が解決しようとする課題】
【０００４】
ところで、上記した乗物用灯具では、長尺な導光部材を収容部材に収容していることから、乗物に生じる微振動に起因して収容部材が導光部材に断続的に接触することで、ガタツキ音が生じる虞がある。ここで、収容部材に導光部材を嵌め込む箇所を設けることが考えられるが、収容部材と導光部材との公差（許容誤差）により、その嵌め込む箇所と導光部材との間の隙間を無くすことは困難である。
【０００５】
本発明は、上記の事情に鑑みて為されたもので、長尺な導光部材を収容部材に収容する構成であっても、振動に起因するガタツキ音を抑制することのできる乗物用灯具を提供することを目的とする。
【課題を解決するための手段】
【０００６】
請求項１に記載の乗物用灯具は、長尺な導光部材と、前記導光部材の入射端面に対向して設けられる光源と、前記導光部材および前記光源を収容すべく前記導光部材の長尺方向に沿って長尺な収容部材と、を備え、前記導光部材には、前記長尺方向で見た全長に渡り、前記長尺方向に直交する直交方向へと対を為して突出する位置決め突起を設け、前記収容部材には、前記導光部材を収容した状態において一対の前記位置決め突起を載せる支持突起を、前記直交方向で対を為して前記長尺方向で見た全長に渡り設けている。
【０００７】
前記導光部材の前記各位置決め突起は、前記長尺方向で見て全長に渡り連続して設けている構成とすることができる。
【０００８】
前記収容部材の前記各支持突起は、前記長尺方向で見て全長に渡り連続して設けている構成としてもよい。
【０００９】
前記導光部材は、前記長尺方向に直交する断面で見て、一対の前記位置決め突起間を結ぶ直線の中点で直交する線に関して線対称とされている構成とすることができる。
【００１０】
前記導光部材は、導光本体部と、その外側に設けられ光を拡散する拡散層および光を反射する反射層の少なくとも一方と、を有し、前記各位置決め突起は、前記拡散層または前記反射層を部分的に膨らませて形成する構成としてもよい。
【００１１】
前記導光部材は、導光本体部と、その外側に設けられ光を拡散する拡散層と、その外側に設けられ光を反射する反射層と、を有し、前記各位置決め突起は、前記反射層を部分的に膨らませて形成する構成とすることができる。
【００１２】
前記導光部材は、前記長尺方向と直交する方向に位置して光を出射させる光出射面を有し、前記各位置決め突起は、前記導光部材において前記光出射面の近傍で、前記光出射面を挟みつつ前記直交方向で対を為して設けられる構成としてもよい。
【００１３】
前記導光部材の前記各位置決め突起は、前記長尺方向に直交する断面で見て曲面状に突出して形成されている構成とすることができる。
【００１４】
前記収容部材の前記各支持突起は、前記長尺方向に直交する断面で見て曲面状に突出して形成されている構成としてもよい。
【発明の効果】
【００１５】
本発明の乗物用灯具によれば、長尺な導光部材を収容部材に収容する構成であっても、振動に起因するガタツキ音を抑制することができる。
【００１６】
前記導光部材の前記各位置決め突起は、前記長尺方向で見て全長に渡り連続して設けている構成があるときは、収容部材の一端から導光部材を挿入する際、各位置決め突起が対応する支持突起に引っ掛かることを抑制することができ、より簡易に組み付けることができる。
【００１７】
前記収容部材の前記各支持突起は、前記長尺方向で見て全長に渡り連続して設けている構成とすると、収容部材の一端から導光部材を挿入する際、各位置決め突起が対応する支持突起に引っ掛かることを抑制することができ、より簡易に組み付けることができる。
【００１８】
前記導光部材は、前記長尺方向に直交する断面で見て、一対の前記位置決め突起間を結ぶ直線の中点で直交する線に関して線対称とされている構成とすると、直交方向で対を為す一対の位置決め突起を一対の支持突起に偏りなく載せることができ、収容部材が導光部材をより適切に支持することができる。
【００１９】
前記導光部材は、導光本体部と、その外側に設けられ光を拡散する拡散層および光を反射する反射層の少なくとも一方と、を有し、前記各位置決め突起は、前記拡散層または前記反射層を部分的に膨らませて形成する構成とすると、簡易に両位置決め突起を形成することができる。
【００２０】
前記導光部材は、導光本体部と、その外側に設けられ光を拡散する拡散層と、その外側に設けられ光を反射する反射層と、を有し、前記各位置決め突起は、前記反射層を部分的に膨らませて形成する構成があるときは、簡易に両位置決め突起を形成することができる。
【００２１】
前記導光部材は、前記長尺方向と直交する方向に位置して光を出射させる光出射面を有し、前記各位置決め突起は、前記導光部材において前記光出射面の近傍で、前記光出射面を挟みつつ前記直交方向で対を為して設けられる構成とすると、光出射面が収容部材に対して揺れ動くことを効率良く抑制することができ、振動が生じた場合であっても光出射面から出射する光が揺らぐことを防止することができる。
【００２２】
前記導光部材の前記各位置決め突起は、前記長尺方向に直交する断面で見て曲面状に突出して形成されている構成があるときは、一対の位置決め突起を一対の支持突起の上に載せるだけで、導光部材を直交方向で挟むように収容部材に支持させることができ、振動に起因してガタツキ音が生じることをより効果的に抑制することができる。
【００２３】
前記収容部材の前記各支持突起は、前記長尺方向に直交する断面で見て曲面状に突出して形成されている構成とすると、一対の位置決め突起を一対の支持突起の上に載せるだけで、導光部材を直交方向で挟むように収容部材に支持させることができ、振動に起因してガタツキ音が生じることをより効果的に抑制することができる。
【図面の簡単な説明】
【００２４】
【図１】本発明に係る一例としての乗物用灯具１０が乗物５０に用いられた様子を示す説明図である。
【図２】乗物用灯具１０を示す説明図である。
【図３】乗物用灯具１０を図２に示すＩ−Ｉ線に沿って得られた断面で切断した様子を示す説明図である。
【図４】乗物用灯具１０を図２に示すII−II線に沿って得られた断面で切断した様子を示す説明図である。
【図５】乗物用灯具１０において導光部材１２を支持する収容部材１１を図４と同様の断面で示す説明図である。
【図６】乗物用灯具１０に設けられる導光部材１２を示す説明図である。
【図７】導光部材１２を図６に示すIII−III線に沿って得られた断面で切断した様子を示す説明図である。
【図８】導光部材１２を押出成形により形成する様子を模式的に示す説明図である。
【図９】第１金型４４、第２金型４５および第３金型４６を経て導光部材１２が成形される様子を幅方向Ｄｗに直交する断面で模式的に示す説明図である。
【図１０】第１金型４４により導光本体部３６が成形される様子を図９に示すIV−IV線に沿って得られた断面で示す説明図である。
【図１１】第２金型４５により導光本体部３６の外方に拡散層３７が成形される様子を図９に示すＶ−Ｖ線に沿って得られた断面で示す説明図である。
【図１２】第３金型４６により拡散層３７の外方に反射層３８が成形される様子を図９に示すVI−VI線に沿って得られた断面で示す説明図である。
【発明を実施するための形態】
【００２５】
以下に、本発明に係る乗物用灯具の実施例について図面を参照しつつ説明する。
【実施例】
【００２６】
本発明に係る乗物用灯具の一例としての実施例の乗物用灯具１０を、図１から図１２を用いて説明する。なお、図４、図７、および、図９から図１２では、導光部材１２の構成の理解を容易なものとするために、拡散層３７、反射層３８および衝撃吸収部３９を強調して示しており、必ずしも実際の構成と一致するものではない。また、図８および図９では、押出成形機４１、引取機４２および切断機４３や、第１金型４４、第２金型４５および第３金型４６を模式的に示しており、必ずしも実際の構成と一致するものではない。
【００２７】
乗物用灯具１０は、自動車や列車等の乗物（車両）や遊園地等に設けられる遊具等の乗物に用いられるものであり、当該乗物の内部や外部を装飾したり、乗物の内部や外部において手元や足元を照明したりする。この乗物用灯具１０は、本実施例では、図１に示すように、乗物の一例としての遊園地等に設けられる乗物５０において、乗車スペースの両側にある壁部の上縁に埋め込まれて設けられ、当該乗物５０（その両壁部の上縁）を装飾する。この両乗物用灯具１０は、互いに略等しい構成とされていることから、単に乗物用灯具１０と記載してその構成を説明する。
【００２８】
乗物用灯具１０は、図２から図４に示すように、全体に長尺な箱状を呈する収容部材１１に、長尺な導光部材１２と光源１３（図３参照）とが収容されて構成される。その収容部材１１は、乗物用灯具１０における外形形状を形成する筐体であり、一側面（後述する上壁部２１）に長尺な楕円形状を呈する出射開口２９が設けられる。その出射開口２９は、後述するように光源１３から出射されて導光部材１２により導かれた光を収容部材１１の外方に出射させる。このため、乗物用灯具１０では、長尺な出射開口２９を光らせることができ、その光で装飾したり照明したりすることができる。以下の説明では、乗物用灯具１０（その収容部材１１および導光部材１２）において、長手方向を長尺方向Ｄｌとし、導光部材１２に対して出射開口２９が設けられた方向を上下方向Ｄｖとし、その長尺方向Ｄｌおよび上下方向Ｄｖに直交する方向を幅方向Ｄｗとする。
【００２９】
その収容部材１１は、本実施例では、外形形状を形成する筐体を構成すべく金属材料のうちのアルミ材で形成され、全体に長尺な箱状を呈する。収容部材１１は、図４に示すように、長尺方向Ｄｌに直交する断面で見て、導光部材１２の外形形状に倣う形状とされ、中心を通り上下方向Ｄｖに伸びる直線に関して線対称とされている。この収容部材１１では、図５に示すように、上下方向Ｄｖの上側に位置する上壁部２１が幅方向Ｄｗに伸びる平板状とされ、幅方向Ｄｗに位置する両側壁部２２が上下方向Ｄｖの下側に向かうに連れて間隔を狭くしつつ上下方向Ｄｖに伸びる平板状とされる。そして、収容部材１１では、上下方向Ｄｖの下側に位置する下壁部２３が、外側に膨らむように湾曲して両側壁部２２の下端を架け渡す板状とされる。収容部材１１では、この上壁部２１と両側壁部２２と下壁部２３との位置関係が、全長に渡って同一すなわち長尺方向Ｄｌで見た位置の差異に拘わらず同一とされている（図２参照）。このため、収容部材１１は、上下方向Ｄｖで見た上側において幅方向Ｄｗでの間隔が最も大きく、下側に向かうに連れて幅方向Ｄｗでの間隔を漸次的に狭くなるものとする。
【００３０】
この収容部材１１では、図３に示すように、内方に光源収容部２４と導光収容部２５とを連続して形成しており、光源収容部２４側の一端に開閉壁部２６が開閉可能に設けられる。その光源収容部２４は、光源１３や後述する点灯駆動部１４を収容する場所であり、上記した上壁部２１と両側壁部２２と下壁部２３とにより形成された箱状の空間である。導光収容部２５は、導光部材１２を収容する場所であり、開放された開閉壁部２６側から導光部材１２が挿入されることと、その挿入された導光部材１２を適切に支持することと、が可能とされる。
【００３１】
その導光収容部２５では、図３から図５に示すように、長尺方向Ｄｌで見た全長に渡り、一対の支持突起２７と６つの補助突起２８とを設けている。この長尺方向Ｄｌで見た全長に渡るとは、長尺方向Ｄｌで見て厳密に導光収容部２５の一方の端部から他方の端部に至るまでのみを言うものではなく、導光収容部２５の一方の端部の近傍から導光収容部２５の他方の端部の近傍に至る間を言う。本実施例の導光収容部２５（収容部材１１）では、一方の端部から他方の端部に至る間で連続して一対の支持突起２７と６つの補助突起２８とを設けている。
【００３２】
その支持突起２７は、図５に示すように、上壁部２１の近傍すなわち幅方向Ｄｗで対を為す両側壁部２２における上下方向Ｄｖの上部に設けられる。この各支持突起２７は、両側壁部２２から導光収容部２５の内側すなわち幅方向Ｄｗで見て互いに接近する方向へ向けて突出して形成される。各支持突起２７は、長尺方向Ｄｌに直交する断面で見た外形が内側に向けて湾曲され、断面で見て曲線状に突出されている。このため、支持突起２７は、幅方向Ｄｗで対を為して設けられており、幅方向Ｄｗが長尺方向Ｄｌに直交する直交方向となる。このため、両支持突起２７は、導光収容部２５において幅方向Ｄｗでの間隔が最も大きくなる位置の近傍で、当該導光収容部２５の幅方向Ｄｗでの内径寸法を部分的に小さくする。両支持突起２７は、その先端の間隔を、導光部材１２における後述する両位置決め突起３５を除く幅方向Ｄｗでの寸法よりも大きく、かつ導光部材１２における両位置決め突起３５を含む幅方向Ｄｗでの寸法よりも小さくしている（図４参照）。ここで、その先端の間隔における寸法は、収容部材１１および導光部材１２（位置決め突起３５を含む）における公差を考慮して設定する。
【００３３】
６つの補助突起２８のうちの上側の２つは、上壁部２１と両側壁部２２とを架け渡して設けられ、長尺方向Ｄｌに直交する断面で見た外形を湾曲させつつ導光収容部２５の内側へ向けて突出して、すなわち断面で見て曲線状に突出して形成される。この２つの補助突起２８は、導光収容部２５の内側において各支持突起２７に接近するように突出されて、各支持突起２７に対する間隔を上壁部２１と各支持突起２７との間隔よりも小さくする。
【００３４】
残りの４つの補助突起２８のうちの真ん中の高さの２つは、下壁部２３の近傍すなわち両側壁部２２における上下方向Ｄｖの下部に設けられ、長尺方向Ｄｌに直交する断面で見た外形を湾曲させつつ導光収容部２５の内側へ向けて突出して、すなわち断面で見て曲線状に突出して形成される。この２つの補助突起２８は、その先端の間隔を、収容部材１１および導光部材１２における公差を考慮しつつ、導光部材１２における上下方向Ｄｖで見た下部の幅方向Ｄｗでの寸法よりも大きくする。このため、２つの補助突起２８は、その先端を、導光収容部２５に収容された導光部材１２における下部の外周面よりも外側に位置させる。
【００３５】
残りの下側の２つの補助突起２８は、下壁部２３に設けられ、長尺方向Ｄｌに直交する断面で見た外形を湾曲させつつ導光収容部２５の内側へ向けて突出して、すなわち断面で見て曲線状に突出して形成される。この２つの補助突起２８は、その先端を、収容部材１１および導光部材１２における公差を考慮しつつ、導光収容部２５に収容された後述するように導光部材１２における上下方向Ｄｖで見た下部の外周面よりも外側に位置させる。
【００３６】
これら一対の支持突起２７および６つの補助突起２８は、全長に渡って同一の構成すなわち長尺方向Ｄｌで見た位置の差異に拘わらず位置、形状及び寸法が同一とされている。このため、収容部材１１の導光収容部２５は、全長に渡って上壁部２１と両側壁部２２と下壁部２３とで形成され、一対の支持突起２７および６つの補助突起２８が全長に渡って連続して設けられている。そして、導光収容部２５では、上壁部２１を上下方向Ｄｖに貫通して出射開口２９が設けられる。その出射開口２９は、幅方向Ｄｗで見て上壁部２１の中央に位置するとともに、長尺方向Ｄｌで見て所定の範囲に位置している（図２および図３参照）。
【００３７】
光源１３は、図３に示すように、収容部材１１における一端側すなわち開閉壁部２６側に設けられた光源収容部２４に設けられる。その光源収容部２４は、上述したように上壁部２１と両側壁部２２と下壁部２３とで形成され、一対の支持突起２７および６つの補助突起２８が設けられていない。光源１３は、乗物用灯具１０における光源を形成するものであり、ＬＥＤや有機ＥＬ（ＯＬＥＤ）等の自発光半導体型の発光部としている。この光源１３は、本実施例では、ＬＥＤを用いて構成している。光源１３は、適宜駆動（点灯および消灯）させるための回路や電力を供給するためのコネクタ等が設けられた点灯駆動部１４に接続されて設けられる。この点灯駆動部１４は、光源１３が接続された状態で導光部材１２の一端に取り付けられることにより、光源１３を導光部材１２の後述する入射端面３１と長尺方向Ｄｌで対向させる。その点灯駆動部１４と導光部材１２（その一端）との取り付けは、接着によるものであってもよく、溶着によるものであってもよい。本実施例では、点灯駆動部１４を導光部材１２の一端にネジ部材により取り付けている。点灯駆動部１４は、光源収容部２４に固定して設けられ、接続された光源１３を適宜点灯および消灯させる。
【００３８】
導光部材１２は、図６に示すように、全体に長尺な棒状を呈し、長尺方向Ｄｌに伸びる全長に渡って同一の形状とされるとともに、長尺方向Ｄｌで見た両端が長尺方向Ｄｌに直交する平坦面とされる。導光部材１２は、その一端側の平坦面が光源１３に対向される入射端面３１とされ、他端側の平坦面に適宜遮光膜もしくは反射膜が設けられる。この導光部材１２では、図７に示すように、中心を通り上下方向Ｄｖに伸びる直線に関して線対称とされている。そして、導光部材１２では、上下方向Ｄｖの上側に位置する上壁面３２が幅方向Ｄｗに伸びる平坦面とされ、幅方向Ｄｗに位置する両側壁面３３が上下方向Ｄｖの下側に向かうに連れて間隔を狭くしつつ上下方向Ｄｖに伸びる平坦面とされる。そして、導光部材１２では、上下方向Ｄｖの下側に位置する下壁面３４が、外側に膨らむように湾曲して両側壁面３３の下端を架け渡す曲面とされる。導光部材１２では、この上壁面３２と両側壁面３３と下壁面３４との位置関係が、全長に渡って同一すなわち長尺方向Ｄｌで見た位置の差異に拘わらず同一とされている（図６参照）。このため、導光部材１２は、上下方向Ｄｖで見て上側において幅方向Ｄｗでの寸法が最も大きく、下側に向かうに連れて幅方向Ｄｗでの寸法を漸次的に狭くなるものとされ、下端が曲面とされている。
【００３９】
そして、導光部材１２では、その外周面から幅方向Ｄｗに対を為して突起する位置決め突起３５が、長尺方向Ｄｌで見た全長に渡り設けられる。この長尺方向Ｄｌで見た全長に渡るとは、長尺方向Ｄｌで見て厳密に導光部材１２の一方の端部から他方の端部に至るまでのみを言うものではなく、導光部材１２の一方の端部の近傍から導光部材１２の他方の端部の近傍に至る間を言う。本実施例の導光部材１２では、一方の端部から他方の端部に至る間で連続して一対の位置決め突起３５を設けている（図６参照）。その両位置決め突起３５は、上壁面３２の近傍すなわち両側壁面３３における上下方向Ｄｖの上端に設けられており、その幅方向Ｄｗで対を為す両側壁面３３から幅方向Ｄｗで外側へ向けて、長尺方向Ｄｌに直交する断面で見た外形を湾曲させつつ突出して、すなわち断面で見て曲線状に突出して形成される。このため、位置決め突起３５は、幅方向Ｄｗで対を為して設けられており、幅方向Ｄｗが長尺方向Ｄｌに直交する直交方向となる。このことから、両位置決め突起３５は、導光部材１２において幅方向Ｄｗでの寸法が最も大きくなる位置の近傍で、当該導光部材１２における幅方向Ｄｗでの寸法を部分的にさらに大きくしている。両位置決め突起３５は、収容部材１１の導光収容部２５に収容された状態において、先端の位置を、導光収容部２５における一対の支持突起２７の先端の位置よりも幅方向Ｄｗで見て外側に位置させるものとしている（図４参照）。ここで、その先端の間隔における寸法は、収容部材１１および導光部材１２（位置決め突起３５を含む）における公差を考慮して設定する。このため、導光部材１２では、上述したように中心を通り上下方向Ｄｖに伸びる直線に関して線対称とされていることから、長尺方向Ｄｌに直交する断面で見ると、一対の位置決め突起３５間を結ぶ直線の中点で直交する線に関して線対称とされている。
【００４０】
この導光部材１２は、導光本体部３６の外側に拡散層３７と反射層３８とを設けて構成される。その導光本体部３６は、ガラス材料または樹脂材料で形成される。その樹脂材料としてはポリカーボネート（ＰＣ）、アクリル樹脂、環状オレフィン重合体（ＰＣＯ）等を用いることができ、本実施例ではポリメタクリル酸メチル樹脂（ＰＭＭＡ（以下ではアクリル樹脂という））を用いている。導光本体部３６は、長尺方向Ｄｌに直交する断面で見て上壁面３２と両側壁面３３と下壁面３４とを形成するとともに、長尺方向Ｄｌで見た両端が長尺方向Ｄｌに直交する平坦面とされる（図６参照）。
【００４１】
拡散層３７は、導光本体部３６の外周面において両端の平坦面を除く全面を覆って設けられる。この拡散層３７は、導光本体部３６内に導かれた光のうち、上壁面３２と両側壁面３３と下壁面３４とから外方へと進行する光を拡散させる。拡散層３７は、自らに進行した光を拡散するものであって、導光本体部３６の外周面に設けることができるものであれば、例えば、接着により設けてもよく、蒸着や塗装等により設けてもよい。この拡散層３７は、本実施例では、一例として、光散乱粒子を添加したフッ素系樹脂を用いており、後述するように押出成形により導光本体部３６の外周面に設けている。その光散乱粒子は、例えば二酸化チタン等の金属材料や、非金属の無機粒子を用いることができる。この拡散層３７は、添加する光散乱粒子の量（全体における割合）を調整することで、半透明状の乳白色とされて光を拡散させる作用を有するものとされる。なお、拡散層３７は、他の樹脂材料に光散乱粒子を設けて形成するものであってもよく、本実施例の構成に限定されるものではない。
【００４２】
反射層３８は、導光本体部３６の外周面において拡散層３７が設けられた面のうち、上壁面３２に相当する箇所を除く全面を覆って設けられる。この反射層３８は、導光本体部３６内に導かれて拡散層３７により拡散された光のうち、その拡散層３７から外方へと進行する光を拡散層３７すなわち導光本体部３６へ向けて反射する。反射層３８は、自らに進行した光を反射するものであって、拡散層３７の外側に設けることができるものであれば、例えば、接着により設けてもよく、蒸着や塗装等により設けてもよい。この反射層３８は、本実施例では、一例として、拡散層３７と同様に、光散乱粒子を添加したフッ素系樹脂を用いており、後述するように押出成形により拡散層３７の外側に設けている。反射層３８は、添加する光散乱粒子の量（全体における割合）を調整することで、乳白色とされて光を反射させる作用を有するものとされる。なお、反射層３８は、他の樹脂材料に光散乱粒子を設けて形成するものであってもよく、本実施例の構成に限定されるものではない。
【００４３】
そして、本実施例の導光部材１２では、最も外側に位置する反射層３８により、一対の位置決め突起３５を形成する。すなわち、導光部材１２では、導光本体部３６が平坦な両側壁面３３を形成するとともに、拡散層３７が両側壁面３３に沿って平坦とされ、その拡散層３７の外側において反射層３８を部分的に膨らませる（厚さ寸法を大きくする）ことで、位置決め突起３５を形成する。
【００４４】
このような構成とされた導光部材１２では、図６に示すように、一端の平坦面である入射端面３１から光が入射すると、基本的に導光本体部３６の外周面（境界面）での反射（全反射）を利用することで当該光を導光本体部３６内で長尺方向Ｄｌへと進行させる。そして、導光部材１２では、導光本体部３６内を進行する光の一部が両側壁面３３または下壁面３４から拡散層３７へと進行して拡散され、そのうちの外側へ向かう光が反射層３８で反射されて、拡散層３７を経て導光本体部３６内へと戻る。それらの光は、長尺方向Ｄｌへと進行しつつ上壁面３２から拡散層３７へと進行することで、拡散されつつ導光部材１２の外方へと出射される。このため、導光部材１２では、反射層３８を設けていない上壁面３２が光出射面として機能し、基本的に上下方向Ｄｖを出射方向として、導光本体部３６による導光作用と拡散層３７による拡散作用とにより全長に渡って略均一な輝度で光を出射させる。
【００４５】
次に、このような構成とされた導光部材１２を形成する様子を、図８から図１２を用いて説明する。本実施例では、上記した構成の導光部材１２を押出成形により形成する。この押出成形では、図８に示すように、押出成形機４１と引取機４２と切断機４３とを用いるものであり、押出成形機４１に第１金型４４と第２金型４５と第３金型４６とが設けられている。その押出成形機４１は、図８および図９に示すように、第１ホッパー４７に入れられたアクリル樹脂を溶融させ、スクリュ等によりアクリル樹脂を第１金型４４へと押し出す。その第１金型４４は、図１０に示すように、上記した導光本体部３６の外形形状に適合する形状とされ、押し出されたアクリル樹脂（３６´）を導光本体部３６の形状とする。その導光本体部３６の形状のアクリル樹脂３６´は、第２金型４５へと押し出される（図８および図９参照）。その第２金型４５は、図１１に示すように、上記した拡散層３７の外形形状に適合する形状とされ、第２ホッパー４８に入れられて溶融された半透明状の乳白色のフッ素系樹脂（３７´）を、導光本体部３６の形状とされたアクリル樹脂の外方で拡散層３７の形状とする。すなわち、第２金型４５は、導光本体部３６の外方に、拡散層３７を形成する断面形状とされている。
【００４６】
その導光本体部３６の形状とされたアクリル樹脂およびその外側で拡散層３７の形状とされたフッ素系樹脂３７´は、第３金型４６へと押し出される（図８および図９参照）。その第３金型４６は、図１２に示すように、上記した反射層３８の外形形状に適合する形状とされ、第３ホッパー４９に入れられて溶融された乳白色のフッ素系樹脂（３８´）を、拡散層３７の形状とされたフッ素系樹脂の外方で反射層３８の形状とする。すなわち、第３金型４６は、導光本体部３６に設けられた拡散層３７の外方に、位置決め突起３５を含む反射層３８を形成する断面形状とされている。これにより、導光本体部３６としてのアクリル樹脂３６´の外方に、拡散層３７としての半透明状の乳白色のフッ素系樹脂（３７´）が設けられ、その外方に位置決め突起３５を含む反射層３８としての乳白色のフッ素系樹脂（３５´および３８´）が設けられた樹脂部材５１（導光部材１２）が形成される（図８および図９参照）。
【００４７】
その樹脂部材５１は、図８に示すように、引取機４２で引き取ることにより、押出成形機４１（第３金型４６）と引取機４２との間で冷却されつつ切断機４３へと送り出される。そして、樹脂部材５１は、所定の長さとされて切断機４３により切断されることで、長尺方向Ｄｌで見た両端が平坦面とされて導光本体部３６の外側に拡散層３７と反射層３８とが設けられた導光部材１２が形成される（図６参照）。
【００４８】
このような構成とされた導光部材１２には、図６および図７に示すように、衝撃吸収部３９が設けられる。その衝撃吸収部３９は、導光収容部２５に設けられた６つの補助突起２８のうちの下側の４つと導光部材１２との間に介在され、弾性変形することにより双方が接触する際の衝撃を吸収する（図４参照）。衝撃吸収部３９は、本実施例では、ポリエチレンテレフタラート（ＰＥＴ）からなるテープを用いており、上記した構成の導光部材１２における両側壁面３３の下部と下壁面３４とを覆うように張り付けられる。
【００４９】
この衝撃吸収部３９が設けられた導光部材１２には、図３に示すように、一端の入射端面３１に光源１３を長尺方向Ｄｌで対向させた状態で、当該一端に点灯駆動部１４が取り付けられる。その導光部材１２は、開閉壁部２６が開けられた光源収容部２４側の一端から光源収容部２４を経て導光収容部２５へ向けて収容部材１１に挿入される。このとき、導光部材１２は、上壁面３２を上下方向Ｄｖの上側に位置させつつ、一対の位置決め突起３５が一対の支持突起２７の上方に位置するように挿入される（図４参照）。すると、導光部材１２では、図４に示すように、一対の位置決め突起３５が、上側から一対の支持突起２７に載る（接触する）とともに、６つの補助突起２８のうちの上側の２つと各支持突起２７とに挟まれる位置関係で当該２つの補助突起２８と近接する。また、導光部材１２では、その下部が、衝撃吸収部３９を介して６つの補助突起２８のうちの下側の４つと導光部材１２に接触する。
【００５０】
ここで、両位置決め突起３５と両支持突起２７とは、共に断面で見て曲線状に突出していることから、両位置決め突起３５が両支持突起２７に上側から接触する際に両位置決め突起３５が幅方向Ｄｗで見た両支持突起２７の内側に入り込む。このため、導光部材１２は、幅方向Ｄｗでの寸法が最も大きい箇所に設けられた両位置決め突起３５が幅方向Ｄｗで両支持突起２７に挟まれて接触され、光出射面となる上壁面３２の近傍位置が幅方向Ｄｗで挟まれて支持される。また、導光部材１２は、上壁面３２（光出射面）とは上下方向Ｄｖで見て反対側となる下壁面３４が、両側壁面３３の下部に衝撃吸収部３９を介して下側の４つの補助突起２８に支持される。そして、導光部材１２は、光出射面となる上壁面３２が、収容部材１１の上壁部２１に設けられた出射開口２９と上下方向Ｄｖで対向される。
【００５１】
導光部材１２が上記したように導光収容部２５（収容部材１１）に収容されると、図３に示すように、その導光部材１２に取り付けられた点灯駆動部１４とそこに接続された光源１３とが、光源収容部２４に収容される。この状態において、点灯駆動部１４が光源収容部２４に固定される。その後、開閉壁部２６が閉じられることにより、乗物用灯具１０が形成される（図２参照）。この乗物用灯具１０では、点灯駆動部１４により光源１３が点灯されると、そこから出射された光が入射端面３１から導光部材１２の内方に進行する。すると、導光部材１２は、上述したように、導光本体部３６による導光作用と拡散層３７による拡散作用とにより全長に渡って略均一な輝度で、上壁面３２（光出射面）から上下方向Ｄｖを出射方向として光を出射させる。このため、乗物用灯具１０では、上壁面３２に上下方向Ｄｖの上側で対向された出射開口２９から全長に渡って略均一な輝度で光を出射することができる。これにより、乗物用灯具１０では、乗物５０に両側にある壁部の上縁に埋め込まれて設けられることで、当該乗物５０（その両壁部の上縁）を装飾することができる（図１参照）。
【００５２】
ところで、乗物５０を含む乗物では、動作に伴って振動が生じる。すると、乗物用灯具１０のように収容部材に長尺な導光部材を収容する構成の乗物用灯具では、乗物で生じた振動に起因して、長尺な導光部材が収容部材と断続的に接触することによりガタツキ音が生じる虞がある。これは、以下のことによる。上記した構成の乗物用灯具では、長尺な導光部材を収容部材の内方に収容することから、収容部材に導光部材を嵌め込むための嵌込箇所を設け、収容部材の一端から導光部材を嵌込箇所に挿入し、その一端側で導光部材を収容部材に固定することが考えられる。ここで、導光部材と収容部材とでは、公差（許容誤差）により寸法に差異が生じることから、導光部材を嵌込箇所（収容部材）に完全に嵌め入れることは困難であり、導光部材と嵌込箇所（収容部材）との間に隙間が生じてしまう。すると、乗物用灯具では、乗物の振動に起因して長尺な導光部材が収容部材（嵌込箇所）の内方で揺れ動き、導光部材が収容部材（嵌込箇所）に接触することでガタツキ音が生じる虞がある。ここで、他端側でも導光部材を収容部材に固定することとしても、長尺な導光部材の収容部材での揺れ動きを止めることが困難であるので、製造工程の増加を招くにも拘わらずガタツキ音の抑制効果が薄い。また、収容部材において導光部材を長尺方向で見た数か所に支持部を設けて、導光部材を各支持部に固定することが考えられるが、製造工程や部品の増加を招いてしまい、製造コストの増加を招いてしまう。
【００５３】
これに対して、本発明に係る乗物用灯具の一実施例の乗物用灯具１０では、導光部材１２に長尺方向Ｄｌで見た全長に渡り一対の位置決め突起３５を設けるとともに、収容部材１１（その導光収容部２５）に長尺方向Ｄｌで見た全長に渡り一対の支持突起２７を設けている。そして、乗物用灯具１０では、導光部材１２を収容部材１１（導光収容部２５）に収容すると、一対の位置決め突起３５が一対の支持突起２７の上に載るものとしている。このため、乗物用灯具１０では、長尺な導光部材１２を、長尺方向Ｄｌで見た全長に渡って収容部材１１で支持することができるので、乗物５０の振動に起因して長尺な導光部材１２が収容部材１１の内方で揺れ動くことを抑制することができる。これにより、乗物用灯具１０では、乗物５０で振動が生じた場合であっても、導光部材１２が収容部材１１に接触してガタツキ音が生じることを抑制することができる。
【００５４】
また、乗物用灯具１０では、導光部材１２を収容部材１１（導光収容部２５）に収容すると、一対の位置決め突起３５が一対の支持突起２７の上に載るものとしている。このため、乗物用灯具１０では、導光部材１２を収容部材１１（導光収容部２５）に収容するだけで良いので、製造工程の増加を防止しつつ振動に起因するガタツキ音の発生を抑制することができる。
【００５５】
さらに、乗物用灯具１０では、一対の位置決め突起３５を一対の支持突起２７の上に載せることで、収容部材１１（導光収容部２５）が導光部材１２を支持する構成としている。このため、乗物用灯具１０では、導光部材１２（その一部）を収容部材１１（その一部）に嵌め入れることとは異なり、両位置決め突起３５および両支持突起２７の寸法の設定に余裕を持たせることができる。これにより、乗物用灯具１０では、導光部材１２や収容部材１１（導光収容部２５）の公差（許容誤差）により寸法のバラつきが生じても、各位置決め突起３５を対応する支持突起２７に載せることができる。よって、乗物用灯具１０では、導光部材１２や収容部材１１（導光収容部２５）の公差に拘わらず、収容部材１１（導光収容部２５）が導光部材１２を全長に渡って支持することができる。
【００５６】
乗物用灯具１０では、導光部材１２に全長に渡り一対の位置決め突起３５を設け、かつ収容部材１１（導光収容部２５）に全長に渡り一対の支持突起２７を設けることで、振動に起因するガタツキ音の発生を抑制する。このため、乗物用灯具１０では、例えば、導光部材１２や収容部材１１を押出成形により形成する場合、用いる金型を変えるだけで対応することができるので、簡易に実現することができる。
【００５７】
乗物用灯具１０では、導光部材１２に全長に渡り一対の位置決め突起３５を設け、かつ収容部材１１（導光収容部２５）に全長に渡り一対の支持突起２７を設けるとともに、導光部材１２を収容部材１１（導光収容部２５）に収容すると、一対の位置決め突起３５が一対の支持突起２７の上に載るものとしている。このため、乗物用灯具１０では、一対の支持突起２７よりも一対の位置決め突起３５を上側に位置させた状態で、収容部材１１の一端から導光部材１２を挿入することで、導光部材１２を収容部材１１（導光収容部２５）により全長に渡って支持させることができる。これにより、乗物用灯具１０では、組み付けの簡易さと、導光部材１２の収容部材１１への接触によるガタツキ音の抑制と、を両立させることができる。
【００５８】
乗物用灯具１０では、一対の位置決め突起３５を導光部材１２の全長に渡り連続して設けている。このため、乗物用灯具１０では、収容部材１１の一端から導光部材１２を挿入する際、各位置決め突起３５が対応する支持突起２７に引っ掛かることを抑制することができる。これにより、乗物用灯具１０では、より簡易に組み付けることができる。
【００５９】
乗物用灯具１０では、一対の支持突起２７を収容部材１１（導光収容部２５）の全長に渡り連続して設けている。このため、乗物用灯具１０では、収容部材１１の一端から導光部材１２を挿入する際、各位置決め突起３５が対応する支持突起２７に引っ掛かることを抑制することができる。これにより、乗物用灯具１０では、より簡易に組み付けることができる。特に、乗物用灯具１０では、一対の位置決め突起３５および一対の支持突起２７を全長に渡り連続して設けていることから、収容部材１１の一端から導光部材１２を挿入する際、各位置決め突起３５が対応する支持突起２７に引っ掛かることを防止することができる。
【００６０】
乗物用灯具１０では、導光部材１２を、中心を通り上下方向Ｄｖに伸びる直線に関して線対称としている。このため、乗物用灯具１０では、幅方向Ｄｗ（直交方向）で対を為す一対の位置決め突起３５を一対の支持突起２７に偏りなく載せることができるので、収容部材１１（導光収容部２５）が導光部材１２をより適切に支持することができる。
【００６１】
乗物用灯具１０では、導光部材１２において、導光本体部３６の外側に設ける反射層３８により一対の位置決め突起３５を形成しているので、簡易に両位置決め突起３５を形成することができる。特に、上記した実施例では、導光部材１２を押出成形により形成しているので、反射層３８のための第３金型４６の形状を変化させるだけでよく、他の金型を変化させる必要がないので、より簡易に実現することができる。
【００６２】
乗物用灯具１０では、導光部材１２において、導光本体部３６と拡散層３７とには一対の位置決め突起３５に相当する膨らみを設けず、反射層３８のみで一対の位置決め突起３５を形成している。このため、乗物用灯具１０では、導光本体部３６および拡散層３７を単純な形状とすることができ、それらの成形を容易なものとすることができる。また、乗物用灯具１０では、最も外方に位置する反射層３８で一対の位置決め突起３５を形成するので、反射層３８の外形形状のみを変化させるだけとなり、成形の複雑化を最小限に留めることができる。さらに、乗物用灯具１０では、反射層３８のみの公差（許容誤差）の範囲内で各位置決め突起３５を形成することができるので、各位置決め突起３５の寸法のバラつきを最小限とすることができる。
【００６３】
乗物用灯具１０では、導光部材１２において、導光本体部３６の外側に設ける反射層３８を部分的に膨らませることにより一対の位置決め突起３５を形成しているので、反射層３８としての機能に影響が及ぶことを防止することができる。このため、乗物用灯具１０では、導光部材１２における輝度の低下や全長に渡り略均一に光らせることを阻害することなく、導光部材１２を収容部材１１に適切に支持させることができる。
【００６４】
乗物用灯具１０では、収容部材１１（導光収容部２５）に設けた両支持突起２７が、導光部材１２に設けた両位置決め突起３５に、幅方向Ｄｗ（直交方向）で挟むように接触して、収容部材１１が導光部材１２を支持する。このため、乗物用灯具１０では、導光部材１２が収容部材１１の内方で幅方向Ｄｗに揺れ動くことを効率良く抑制することができ、乗物５０の振動に起因してガタツキ音が生じることをより効果的に抑制することができる。
【００６５】
乗物用灯具１０では、両位置決め突起３５と両支持突起２７との長尺方向Ｄｌに直交する断面で見て曲面状に突出させているので、両位置決め突起３５が両支持突起２７に上側から接触する際に両位置決め突起３５が幅方向Ｄｗ（直交方向）で見た両支持突起２７の内側に入り込む。このため、乗物用灯具１０では、導光部材１２に設けた両位置決め突起３５が、収容部材１１（導光収容部２５）に設けた両支持突起２７に幅方向Ｄｗで挟まれるように接触して、導光部材１２が収容部材１１に支持される。これにより、乗物用灯具１０では、一対の位置決め突起３５を一対の支持突起２７の上に載せるだけで、乗物５０の振動に起因してガタツキ音が生じることをより効果的に抑制することができる。
【００６６】
乗物用灯具１０では、収容部材１１（導光収容部２５）の両支持突起２７が、導光部材１２において幅方向Ｄｗ（直交方向）での寸法が最も大きい箇所に設けられた両位置決め突起３５に幅方向Ｄｗで挟むように接触して、収容部材１１が導光部材１２を支持する。このため、乗物用灯具１０では、導光部材１２が収容部材１１の内方で幅方向Ｄｗに揺れ動くことをより効率良く抑制することができる。
【００６７】
乗物用灯具１０では、収容部材１１（導光収容部２５）の両支持突起２７が、導光部材１２において光出射面となる上壁面３２の近傍位置を幅方向Ｄｗ（直交方向）で挟むことで、収容部材１１が導光部材１２を支持する。このため、乗物用灯具１０では、導光部材１２の上壁面３２（光出射面）が収容部材１１（その出射開口２９）に対して揺れ動くことを効率良く抑制することができる。これにより、乗物用灯具１０では、乗物５０で振動が生じた場合であっても、上壁面３２（光出射面）から出射する光が揺らぐことを防止することができる。
【００６８】
乗物用灯具１０では、導光部材１２において両側壁面３３の下部と下壁面３４とを覆うように張り付けた衝撃吸収部３９を介して、収容部材１１（導光収容部２５）の下側の４つの補助突起２８に導光部材１２（その下部）を接触させている。このため、乗物用灯具１０では、導光部材１２や収容部材１１（導光収容部２５）の公差（許容誤差）による寸法のバラつきに拘わらず、各補助突起２８で導光部材１２（その下部）を適切に支持することができる。また、乗物用灯具１０では、弾性変形可能な衝撃吸収部３９を導光部材１２の下部に設けるだけであるので、製造工程の増加を最小限に抑制することができる。これにより、乗物用灯具１０では、製造工程の増加を最小限に抑制しつつ、乗物５０の振動に起因するガタツキ音をより効果的に抑制することができる。
【００６９】
乗物用灯具１０では、導光部材１２の上部を収容部材１１（導光収容部２５）の両支持突起２７で支持するとともに、導光部材１２の下部を収容部材１１（導光収容部２５）の下側の４つの補助突起２８に衝撃吸収部３９を介して接触させている。このため、乗物用灯具１０では、導光部材１２が収容部材１１の内方で揺れ動くことをより効果的に抑制することができ、乗物５０の振動に起因するガタツキ音をより効果的に抑制することができる。
【００７０】
乗物用灯具１０では、導光部材１２の一対の位置決め突起３５が、上側から一対の支持突起２７に接触するとともに、上側の２つの補助突起２８と支持突起２７とに挟まれる位置で当該２つの補助突起２８と近接している。このため、乗物用灯具１０では、たとえ各位置決め突起３５が対応する支持突起２７から離れて上側に変位した場合であっても、各位置決め突起３５がすぐに上側の各補助突起２８と接触する。これにより、乗物用灯具１０では、全長に渡って導光部材１２の上下方向Ｄｖでの変位量を小さなものとすることができるので、乗物５０の振動に起因するガタツキ音をより効果的に抑制することができる。
【００７１】
したがって、本発明に係る実施例の乗物用灯具１０では、長尺な導光部材１２を収容部材１１に収容する構成であっても、振動に起因するガタツキ音を抑制することができる。
【００７２】
なお、上記した実施例では、本発明に係る乗物用灯具の一例としての乗物用灯具１０について説明したが、長尺な導光部材と、前記導光部材の入射端面に対向して設けられる光源と、前記導光部材および前記光源を収容すべく前記導光部材の長尺方向に沿って長尺な収容部材と、を備え、前記導光部材には、前記長尺方向で見た全長に渡り、前記長尺方向に直交する直交方向へと対を為して突出する位置決め突起を設け、前記収容部材には、前記導光部材を収容した状態において一対の前記位置決め突起を載せる支持突起を、前記直交方向で対を為して前記長尺方向で見た全長に渡り設けている乗物用灯具であればよく、上記した実施例の構成に限定されるものではない。
【００７３】
また、上記した実施例では、収容部材１１において導光収容部２５を形成する上壁部２１と両側壁部２２と下壁部２３とが、当該収容部材１１（乗物用灯具１０）の外形形状も形成するものとしている。しかしながら、収容部材１１は、長尺な導光部材１２と光源１３とを収容するものであって、直交方向（上記した実施例では幅方向Ｄｗ）で内側へと対を為して突出する支持突起２７が設けられているものであれば、例えば、上壁部２１と両側壁部２２と下壁部２３との外側に外形形状を形成する外壁部を有するものであってもよく、他の構成であってもよく、上記した実施例の構成に限定されるものではない。
【００７４】
さらに、上記した実施例では、収容部材１１（その導光収容部２５）を、上壁部２１と両側壁部２２と下壁部２３とを有する構成としている。しかしながら、収容部材１１は、長尺な導光部材１２と光源１３とを収容するものであって、長尺方向Ｄｌで見た全長に渡り直交方向（幅方向Ｄｗ）で内側へと対を為して突出する支持突起２７が設けられているものであれば、他の形状および構成であってもよく、上記した実施例の構成に限定されるものではない。
【００７５】
上記した実施例では、導光部材１２を、導光本体部３６の外側に拡散層３７と反射層３８とを設ける構成としている。しかしながら、導光部材１２は、長尺方向Ｄｌで見た全長に渡り直交方向（幅方向Ｄｗ）で外側へと対を為して突出する位置決め突起３５が設けられているものであれば、例えば、導光本体部３６の外側に拡散層３７か反射層３８のいずれか一方のみが設けられているものであってもよく、他の形状および構成であってもよく、上記した実施例の構成に限定されるものではない。そのように拡散層３７か反射層３８のいずれか一方のみが設けられている場合、その設けられた拡散層３７または反射層３８を部分的に膨らませて一対の位置決め突起３５を設けることが望ましい。
【００７６】
上記した実施例では、導光部材１２において一対の位置決め突起３５を反射層３８で形成していたが、拡散層３７と反射層３８とで形成してもよく、導光本体部３６と拡散層３７と反射層３８とで形成してもよく、他の構成であってもよく、上記した実施例の構成に限定されるものではない。
【００７７】
上記した実施例では、導光部材１２を、長尺方向Ｄｌに直交する断面で見て上壁面３２と両側壁面３３と下壁面３４とで外形形状を形成するものとしている。しかしながら、導光部材１２は、長尺とされて、入射端面（上記した実施例では入射端面３１）から入射された光を導いて光出射面（上記した実施例では上壁面３２）から出射させるものであって、長尺方向Ｄｌで見た全長に渡り直交方向（幅方向Ｄｗ）で外側へと対を為して突出する位置決め突起３５が設けられているものであれば、形状および各寸法等は適宜設定すればよく、上記した実施例の構成に限定されるものではない。
【００７８】
上記した実施例では、上下方向Ｄｖで見て上側の平坦面とされた上壁面３２を光出射面としていたが、入射端面（入射端面３１）から入射された光を導いて光出射面から出射させるものであれば、光出射面が向く方向や面の態様（形状）は適宜設定すればよく、上記した実施例の構成に限定されるものではない。
【００７９】
上記した実施例では、一対の位置決め突起３５および一対の支持突起２７を、長尺方向Ｄｌで見た全長に渡って連続する構成としていたが、長尺方向Ｄｌで見た全長に渡って設けられているものであれば、断続的な構成であってもよく、上記した実施例の構成に限定されるものではない。
【００８０】
上記した実施例では、導光部材１２の一端側のみを入射端面３１として当該入射端面３１に対向して光源１３を設けていたが、他方の平坦面も入射端面として当該入射端面に対向して他の光源を設けるものであってもよく、上記した実施例の構成に限定されるものではない。
【００８１】
上記した実施例では、導光部材１２の一端側を光源１３が接続された点灯駆動部１４に取り付けるとともに、その点灯駆動部１４を収容部材１１に固定している。しかしながら、導光部材１２を収容部材１１に適宜固定するものであればよく、上記した実施例の構成に限定されるものではない。このとき、例えば、導光部材１２における一端と他端とを収容部材１１に固定する等のように、収容部材１１の一端から導光部材１２を挿入することを可能とする構成とすることが望ましい。
【００８２】
上記した実施例では、導光部材１２の一対の位置決め突起３５を、上側から一対の支持突起２７に接触するとともに、上側の２つの補助突起２８と支持突起２７とに挟まれる位置で当該２つの補助突起２８と近接させている。しかしながら、一対の位置決め突起３５は、６つの補助突起２８のうちの上側の２つと接触させるもの、すなわち、上側の２つの補助突起２８と各支持突起２７とで各位置決め突起３５を挟むものとしてもよく、上記した実施例の構成に限定されるものではない。
【００８３】
上記した実施例では、乗物５０の装飾のために用いられる乗物用灯具１０を示している。しかしながら、本発明に係る乗物用灯具は、長尺な導光部材と光源とを収容部材に収容するものであって、長尺方向で見た全長に渡り一対の位置決め突起と一対の支持突起とが設けられているものであれば、車両等の他の乗物に用いてもよく、照明のために用いてもよく、上記した実施例の構成に限定されるものではない。
【００８４】
以上、本発明の乗物用灯具を実施例に基づき説明してきたが、具体的な構成については実施例に限られるものではなく、本発明の要旨を逸脱しない限り、設計の変更や追加等は許容される。
【符号の説明】
【００８５】
１０  乗物用灯具
１１  収容部材
１２  導光部材
１３  光源
２７  支持突起
３１  入射端面
３２  （光出射面の一例としての）上壁面
３５  位置決め突起
３６  導光本体部
３７  拡散層
３８  反射層
Ｄｌ  長尺方向
Ｄｗ  （直交方向の一例としての）幅方向
【図１】
2016143590.tif 000003
【図２】
2016143590.tif 000004
【図３】
2016143590.tif 000005
【図４】
2016143590.tif 000006
【図５】
2016143590.tif 000007
【図６】
2016143590.tif 000008
【図７】
2016143590.tif 000009
【図８】
2016143590.tif 000010
【図９】
2016143590.tif 000011
【図１０】
2016143590.tif 000012
【図１１】
2016143590.tif 000013
【図１２】
2016143590.tif 000014